(57)【特許請求の範囲】
【請求項１】
石炭をガス化炉でガス化した粗石炭ガスを、発電用ガス、及び、化学合成原料にする石炭ガス化複合システムであって、
それぞれが石炭をガス化して粗石炭ガスを生成する４以上であるｎのガス化炉と、
それぞれが各ガス化炉に接続したｎのガス化炉配管と、
それぞれが各ガス化炉配管に設けられたｎのガス化炉開閉弁と、
それぞれが各ガス化炉配管に接続したｎの上流側配管と、前記ｎの上流側配管を流れる粗石炭ガスが合流するように、前記ｎの上流側配管に接続した中央配管と、前記中央配管を流れる粗石炭ガスが分配されるように、前記中央配管の下流側に接続した２つの下流側配管とを有するガス化炉全体配管と、
前記ガス化炉全体配管の前記２つの下流側配管のうち、一方の下流側配管に接続し、粗石炭ガスから発電用ガスに精製する発電用ガス精製設備と、
前記ガス化炉全体配管の前記２つの下流側配管のうち、他方の下流側配管に接続し、粗石炭ガスから化学合成原料を精製・合成・分離する化学合成原料精製・合成・分離設備と、
前記一方の下流側配管に設けられた発電用ガス圧力又は流量調整弁と、
前記発電用ガスの供給圧力又は供給量が検知できるように、前記一方の下流側配管における前記発電用ガス圧力又は流量調整弁の下流側に設けられた圧力又は流量センサーと、
前記他方の下流側配管に設けられた化学合成原料圧力又は流量調整弁と、
前記発電用ガス精製設備からの前記発電用ガスを用いて発電をする発電設備と、
前記化学合成原料精製・合成・分離設備からの前記化学合成原料を用いる化学利用プロセス設備と、を備え、
前記ｎのガス化炉のうち、ｎ−ｘ（ここで、ｘは、１≦ｘ≦ｎ−１の関係を満たす整数）を発電設備用のガス化炉として用い、
前記発電用ガス圧力又は流量調整弁は、常に、前記圧力又は流量センサーが検知する発電用ガスの供給圧力又は供給量が前記発電設備の発電用ガスの必要圧力又は消費量以上になるように、調整される、石炭ガス化複合システム。
【請求項２】
さらに、前記ｎのガス化炉開閉弁、前記発電用ガス圧力又は流量調整弁及び前記化学合成原料圧力又は流量調整弁の開度の監視及び制御をする圧力又は流量調整装置を備え、
前記圧力又は流量調整装置は、常に、前記圧力又は流量センサーが検知する発電用ガスの供給圧力又は供給量が前記発電設備の発電用ガスの必要圧力又は消費量以上になるように、前記発電用ガス圧力又は流量調整弁を調整する、請求項１に記載の石炭ガス化複合システム。
【請求項３】
請求項１又は２に記載の石炭ガス化複合システムの制御方法であって、
常に、前記圧力又は流量センサーが検知する発電用ガスの供給圧力又は供給量が、前記発電設備が用いる発電用ガスの必要圧力又は消費量以上になるように、前記発電用ガス圧力又は流量調整弁を調整する、石炭ガス化複合システムの制御方法。
【請求項４】
前記圧力又は流量センサーが検知する発電用ガスの供給圧力又は供給量が、前記発電設備が用いる発電用ガスの必要圧力又は消費量より低い又は少ない場合、前記発電用ガス圧力又は流量調整弁の開度を大きくする、請求項３に記載の石炭ガス化複合システムの制御方法。
【請求項５】
前記圧力又は流量センサーが検知する発電用ガスの供給圧力又は供給量が、前記発電設備が用いる発電用ガスの必要圧力又は消費量より低い又は少ない場合において、前記発電用ガス圧力又は流量調整弁が全開の場合、前記化学合成原料圧力又は流量調整弁の開度を小さくする、請求項４に記載の石炭ガス化複合システムの制御方法。
【請求項６】
前記ｎのガス化炉のうち、あるガス化炉に対応するガス化炉開閉弁が閉じられた場合、常に、前記圧力又は流量センサーが検知する発電用ガスの供給圧力又は供給量が前記発電設備の発電用ガスの必要圧力又は消費量以上になるように、前記化学合成原料圧力又は流量調整弁の開度を小さくする、請求項３から５のいずれかに記載の石炭ガス化複合システムの制御方法。
【発明の詳細な説明】
【技術分野】
【０００１】
本発明は、石炭をガス化炉でガス化した粗石炭ガスを、発電用ガス、及び、化学合成原料にする石炭ガス化複合システム及びその制御方法に関する。
【背景技術】
【０００２】
発電方式の一つに、石炭をガス化して利用する石炭ガス化複合発電（Ｉｎｔｅｇｒａｔｅｄ  ｃｏａｌ  Ｇａｓｉｆｉｃａｔｉｏｎ  Ｃｏｍｂｉｎｅｄ  Ｃｙｃｌｅ，  ＩＧＣＣ）がある。石炭ガス化複合発電は、コンバインドサイクル発電（ガスタービンと蒸気タービンを組み合わせ発電する方法）を使うことで、従来の石炭火力発電より高い熱効率で、かつ、少ない二酸化炭素生成量で発電する。つまり、石炭ガス化複合発電の特徴は、石炭をガス化し、それを燃焼させてガスタービンと発電機を動かすとともに、あわせてガスタービンの排熱で蒸気を作り、それで蒸気タービンと発電機も回す点にある。その結果、蒸気タービンと発電機を組み合わせただけの既存の微粉炭火力発電に比べて、熱効率が上昇する（非特許文献１参照）。
【０００３】
特許文献１には、石炭ガス化複合発電を用いた発電プラントが開示されている。具体的には、特許文献１に記載の発電プラントは、石炭をガス化するガス化炉（石炭ガス化装置１０）と、ガス化炉で生成された粗石炭ガスをフューエルグレード石炭ガスに精製するガス精製装置（ガス精製設備６０）と、フューエルグレード石炭ガスを用いて発電する発電設備（発電装置６０）と、フューエルグレード石炭ガスからメタノールを合成・分離させる化学合成原料精製・合成・分離設備７０と、分離されたメタノールを利用する化学利用プロセス設備（メタノール貯蔵タンク１１０）とを備える。
【先行技術文献】
【特許文献】
【０００４】
【特許文献１】特開平１１−９３６８６号公報
【非特許文献】
【０００５】
【非特許文献１】http://president.jp/articles/-/7509?page=2
【発明の概要】
【発明が解決しようとする課題】
【０００６】
石炭ガス化複合発電のガス化炉が定期点検や故障等により運転を停止すると、フューエルグレード石炭ガスが生成されなくなり、発電設備の運転の停止又は稼働率の低下を余儀なくされる。それによって、発電設備を利用する下流設備の一部又は全部が緊急停止することになる。一方、化学利用プロセスでは、化学利用プロセス設備によって、その下流で使うためのメタノールを貯蔵することができ、下流設備への影響が少ないか、全くない。これは、電気は貯蔵できないが、メタノールは貯蔵できることによる。
本発明の課題は、発電設備の運転を維持した状態で、ガス化炉の運転を一時的に停止できる石炭ガス化複合システム及びその制御方法を提供することにある。
【課題を解決するための手段】
【０００７】
本発明は、以下の（１）から（６）に関する。
（１）  石炭をガス化炉でガス化した粗石炭ガスを、発電用ガス、及び、化学合成原料にする石炭ガス化複合システムであって、
それぞれが石炭をガス化して粗石炭ガスを生成する４以上であるｎのガス化炉と、
それぞれが各ガス化炉に接続したｎのガス化炉配管と、
それぞれが各ガス化炉配管に設けられたｎのガス化炉開閉弁と、
それぞれが各ガス化炉配管に接続したｎの上流側配管と、前記ｎの上流側配管に接続した２つの下流側配管とを有するガス化炉全体配管と、
前記ガス化炉全体配管の前記２つの下流側配管のうち、一方の下流側配管に接続し、粗石炭ガスから発電用ガスに精製する発電用ガス精製設備と、
前記ガス化炉全体配管の前記２つの下流側配管のうち、他方の下流側配管に接続し、粗石炭ガスから化学合成原料を精製・合成・分離する化学合成原料精製・合成・分離設備と、
前記一方の下流側配管に設けられた発電用ガス圧力又は流量調整弁と、
前記発電用ガスの供給圧力又は供給量が検知できるように、前記一方の下流側配管における前記発電用ガス圧力又は流量調整弁の下流側に設けられた圧力又は流量センサーと、
前記他方の下流側配管に設けられた化学合成原料圧力又は流量調整弁と、
前記発電用ガス精製設備からの前記発電用ガスを用いて発電をする発電設備と、
前記化学合成原料精製・合成・分離設備からの前記化学合成原料を用いる化学利用プロセス設備と、を備え、
前記ｎのガス化炉のうち、ｎ−ｘ（ここで、ｘは、１≦ｘ≦ｎ−１の関係を満たす整数）を発電設備用のガス化炉として用い、
前記発電用ガス圧力又は流量調整弁は、常に、前記圧力又は流量センサーが検知する発電用ガスの供給圧力又は供給量が前記発電設備の発電用ガスの発電に必要な最低限の圧力（以下、必要圧力と記す）又は消費量以上になるように、調整される、石炭ガス化複合システム。
【０００８】
（２）  さらに、前記ｎのガス化炉開閉弁、前記発電用ガス圧力又は流量調整弁及び前記化学合成原料圧力又は流量調整弁の開度の監視及び制御をする圧力又は流量調整装置を備え、
前記圧力又は流量調整装置は、常に、前記圧力又は流量センサーが検知する発電用ガスの供給圧力又は供給量が前記発電設備の発電用ガスの必要圧力又は消費量以上になるように、前記発電用ガス圧力又は流量調整弁を調整する、（１）に記載の石炭ガス化複合システム。
【０００９】
（３）  （１）又は（２）に記載の石炭ガス化複合システムの制御方法であって、
常に、前記圧力又は流量センサーが検知する発電用ガスの供給圧力又は供給量が、前記発電設備が用いる発電用ガスの必要圧力又は消費量以上になるように、前記発電用ガス圧力又は流量調整弁を調整する、石炭ガス化複合システムの制御方法。
【００１０】
（４）  前記圧力又は流量センサーが検知する発電用ガスの供給圧力又は供給量が、前記発電設備が用いる発電用ガスの必要圧力又は消費量より低い又は少ない場合、前記発電用ガス圧力又は流量調整弁の開度を大きくする、（３）に記載の石炭ガス化複合システムの制御方法。
【００１１】
（５）  前記圧力又は流量センサーが検知する発電用ガスの供給圧力又は供給量が、前記発電設備が用いる発電用ガスの必要圧力又は消費量より低い又は少ない場合において、前記発電用ガス圧力又は流量調整弁が全開の場合、前記化学合成原料圧力又は流量調整弁の開度を小さくする、（４）に記載の石炭ガス化複合システムの制御方法。
【００１２】
（６）  前記ｎのガス化炉のうち、あるガス化炉に対応するガス化炉開閉弁が閉じられた場合、常に、前記圧力又は流量センサーが検知する発電用ガスの供給圧力又は供給量が前記発電設備の発電用ガスの必要圧力又は消費量以上になるように、前記化学合成原料圧力又は流量調整弁の開度を小さくする、（３）から（５）のいずれかに記載の石炭ガス化複合システムの制御方法。
【発明の効果】
【００１３】
本発明によれば、ｎのガス化炉のうち、ｎ−ｘ（ここで、ｘは、１≦ｘ≦ｎ−１の関係を満たす整数）を発電設備用のガス化炉として用い、発電用ガス圧力又は流量調整弁は、常に、発電用ガス精製設備からの発電用ガスの供給圧力又は供給量が発電設備の発電用ガスの必要圧力又は消費量以上になるように、調整されるので、発電設備の運転を維持した状態で、ｎのガス化炉のうち、特定のガス化炉の運転を一時的に停止することができる。
【図面の簡単な説明】
【００１４】
【図１】本発明に係る石炭ガス化複合システムの構成図である。
【図２】図１に示した石炭ガス化複合システムの制御方法を説明するためのフロー図である。
【図３】図１に示した石炭ガス化複合システムの制御方法においてガス化炉の運転を停止した場合のフロー図である。
【図４】図１に示した石炭ガス化複合システムの制御方法においてガス化炉の運転を開始した場合のフロー図である。
【発明を実施するための形態】
【００１５】
図１を参照して、本発明に係る石炭ガス化複合システム１０を説明する。石炭ガス化複合システム１０は、４つのガス化炉２０を備え、そのうち２つのガス化炉２０は発電設備に必要な石炭ガスを供給し、他の２つのガス化炉２０は化学利用プロセス設備に必要な石炭ガスを供給するものとして説明するが、ガス化炉の数は４以上であれば特に限定されない。
【００１６】
石炭ガス化複合システム１０は、４つのガス化炉２０と、４つのガス化炉配管３０と、４つのガス化炉開閉弁４０と、ガス化炉全体配管５０と、発電用ガス精製設備６０と、化学合成原料精製・合成・分離設備７０と、発電用ガス圧力又は流量調整弁８０と、圧力又は流量センサー８５と、化学合成原料圧力又は流量調整弁９０と、発電設備１００と、化学利用プロセス設備１１０と、圧力又は流量調整装置１２０とを備える。
【００１７】
各ガス化炉２０は、石炭１をガス化して粗石炭ガスを生成する石炭ガス化複合発電のガス化炉である。
４つのガス化炉のうち、ｎ−ｘ（ここで、ｎは石炭ガス化複合システム１０が有するガス化炉２０の数（本実施形態では４）、ｘは、１≦ｘ≦ｎ−１の関係を満たす整数）を発電設備１００用のガス化炉として用い、残りのガス化炉を化学利用プロセス設備１１０用として用いる。
【００１８】
各ガス化炉配管３０は、各ガス化炉２０で生成した粗石炭ガスが流れる配管である。４つのガス化炉配管３０は、それぞれ、４つのガス化炉２０に接続している。
【００１９】
４つのガス化炉開閉弁４０は、それぞれ、４つのガス化炉２０で生成した粗石炭ガスを流したり、止めたりすることができるように、４つのガス化炉配管３０に設けられている。４つのガス化炉開閉弁４０は、それぞれ、開閉状態を開閉状態信号Ｓ１１、Ｓ１２、Ｓ１３及びＳ１４として出力する。４つのガス化炉開閉弁４０は、石炭ガス化複合発電の一部を構成している。
【００２０】
ガス化炉全体配管５０は、４つの上流側配管５４と、中央配管５２と、２つの下流側配管５６とを有する。
４つの上流側配管５４の上流側は、それぞれ、４つのガス化炉配管３０における４つのガス化炉開閉弁４０よりも下流側に接続している。
中央配管５２の上流側は、４つのガス化炉から送られてくる粗石炭ガスが合流するように、４つの上流側配管５４の下流側に接続している。
２つの下流側配管５６の上流側は、中央配管５２を流れる粗石炭ガスが分配されるように、中央配管５２の下流側に接続している。
【００２１】
発電用ガス精製設備６０は、粗石炭ガスから発電用ガスに精製する装置であり、ガス化炉全体配管５０の２つの下流側配管５６のうち、一方の下流側配管５６の下流側に接続している。発電用ガス精製設備６０は、例えば、粗石炭ガスから、硫化水素、塩化水素などの成分を除去するガス精製装置である。発電用ガス精製設備６０は、石炭ガス化複合発電の一部を構成している。
【００２２】
化学合成原料精製・合成・分離設備７０は、粗石炭ガスから化学合成原料を精製・合成・分離する装置であり、ガス化炉全体配管５０の２つの下流側配管５６のうち、他方の下流側配管５６の下流側に接続している。化学合成原料精製・合成・分離設備７０は、例えば、一酸化炭素と水素とを主成分とする粗石炭ガスをメタノール変換するために石炭ガスを最適の組成とするためのシフト反応装置、及び、メタノール反応の阻害となる成分を取り除くガス精製装置、及び、メタノールへ変換するためのメタノール合成装置、及び、メタノール精製装置からなるものである。また、フィッシャー・トロプシュ合成による炭化水素製造のための各種装置でもよい。
【００２３】
発電用ガス圧力又は流量調整弁８０及び化学合成原料圧力又は流量調整弁９０は、それぞれ、一方及び他方の下流側配管５６に設けられている。発電用ガス圧力又は流量調整弁８０及び化学合成原料圧力又は流量調整弁９０は、圧力又は流量調整装置１２０からの開閉量調整信号Ｓ２１及びＳ２２に基づいて、一方及び他方の下流側配管５６を流れる粗石炭ガスの圧力又は流量を調整する。
【００２４】
圧力又は流量センサー８５は発電用ガス精製設備６０からの発電用ガスの供給圧力又は供給量が検知できるように、一方の下流側配管５６における発電用ガス圧力又は流量調整弁８０の下流側に設けられている。圧力又は流量センサー８５は、検知した発電用ガスの圧力又は流量を圧力又は流量信号Ｓ３１として圧力又は流量調整装置１２０に出力する。
【００２５】
発電設備１００は、発電用ガス精製設備６０からの発電用ガスを用いて発電する。発電設備１００は、石炭ガス化複合発電の一部を構成する。
化学利用プロセス設備１１０は、化学合成原料精製・合成・分離設備７０からの化学合成原料を用いる設備で、例えば、ある程度の化学合成原料を貯蔵することができる貯蔵タンクやメタノールから化学製品を得る製造装置等を挙げることができる。
【００２６】
圧力又は流量調整装置１２０は、常に、圧力又は流量センサー８５が検知する発電用ガスの供給圧力又は供給量が発電設備１００の発電用ガスの必要圧力又は消費量以上になるように、４つのガス化炉開閉弁４０、発電用ガス圧力又は流量調整弁８０及び化学合成原料圧力又は流量調整弁９０の開度の監視をし、また、制御をする。
【００２７】
以上の石炭ガス化複合システム１０は、以下のように作動する。
【００２８】
図２から図４を参照して、石炭ガス化複合システム１０の動作を説明する。
図２に示すように、圧力又は流量調整装置１２０は、以下のようにして、４つのガス化炉開閉弁４０、発電用ガス圧力又は流量調整弁８０及び化学合成原料圧力又は流量調整弁９０の開度の監視をし、また、制御をする。
【００２９】
圧力又は流量調整装置１２０は、圧力又は流量センサー８５からの発電用ガスの圧力又は流量を示す圧力又は流量信号Ｓ３１に基づいて、圧力又は流量センサー８５が検知する発電用ガスの供給圧力又は供給量を算出し、算出された供給圧力又は供給量が、発電設備の発電用ガスの必要圧力又は消費量に対して、所定の範囲であるか、それより高い又は多いか、低い又は少ないか、を判断する（ステップＳＴ０１）。
【００３０】
圧力又は流量調整装置１２０は、算出された供給圧力又は供給量が、発電設備の発電用ガスの必要圧力又は消費量に対して、所定の範囲より低い又は少ないと判断した場合、さらに、発電用ガス圧力又は流量調整弁８０の開きが全開であるか、全開でないかを判断する（ステップＳＴ０３）。
【００３１】
圧力又は流量調整装置１２０は、発電用ガス圧力又は流量調整弁８０の開きが全開でないと判断した場合、発電用ガス圧力又は流量調整弁８０が少し開くよう、発電用ガス圧力又は流量調整弁８０に開の開閉量調整信号Ｓ２１を出力して（ステップＳＴ０５）、ステップＳＴ０１に戻る。
【００３２】
圧力又は流量調整装置１２０は、発電用ガス圧力又は流量調整弁８０の開きが全開であると判断した場合、発電用ガス圧力又は流量調整弁８０はこれ以上開くことができないので、化学合成原料圧力又は流量調整弁９０が少し閉まるよう、化学合成原料圧力又は流量調整弁９０に閉の開閉量調整信号Ｓ２２を出力して（ステップＳＴ０７）、ステップＳＴ０１に戻る。
【００３３】
圧力又は流量調整装置１２０は、算出された供給圧力又は供給量が、発電設備の発電用ガスの必要圧力又は消費量に対して、所定の範囲より高い又は多いと判断した場合、発電用ガス圧力又は流量調整弁８０が少し閉じるよう、発電用ガス圧力又は流量調整弁８０に閉の開閉量調整信号Ｓ２１を出力して（ステップＳＴ０９）、ステップＳＴ０１に戻る。
【００３４】
圧力又は流量調整装置１２０は、算出された供給圧力又は供給量が、発電設備の発電用ガスの必要圧力又は消費量に対して、所定の範囲であると判断した場合、発電設備１００への発電用ガスの供給圧力又は供給量が適切であるので、発電用ガス圧力又は流量調整弁８０の操作は行わない。
【００３５】
このように、石炭ガス化複合システム１０の制御方法は、常に、圧力又は流量センサー８５が検知する発電用ガスの供給圧力又は供給量が、発電設備１００が用いる発電用ガスの必要圧力又は消費量以上になるように、圧力又は流量調整装置１２０は発電用ガス流量圧力又は流量調整弁８０を調整する。
【００３６】
具体的には、圧力又は流量センサー８５が検知する発電用ガスの供給圧力又は供給量が、発電設備１００が用いる発電用ガスの必要圧力又は消費量より低い又は少ない場合、圧力又は流量調整装置１２０は発電用ガス圧力又は流量調整弁８０の開度を大きくする開閉量調整信号Ｓ２１を出力する。
また、圧力又は流量センサー８５が検知する発電用ガスの供給圧力又は供給量が、発電設備１００が用いる発電用ガスの必要圧力又は消費量より低い又は少ない場合において、圧力又は流量調整装置１２０は発電用ガス圧力又は流量調整弁８０が全開の場合、化学合成原料圧力又は流量調整弁９０の開度を小さくする開閉量調整信号Ｓ２２を出力する。
【００３７】
図３を参照して、４つあるガス化炉２０のうち、あるガス化炉２０の運転を停止する場合の石炭ガス化複合システム１０の制御方法を説明する。
【００３８】
例えば、図１において、４つあるガス化炉２０のうち最も図面上、上に位置するガス化炉２０の運転を停止させる際に、そのガス化炉２０に対応するガス化炉開閉弁４０が閉じられる（ステップＳＴ２１）。すると、圧力又は流量調整装置１２０は、そのガス化炉開閉弁４０が閉じられた状態を表す開閉状態信号Ｓ１１を受信する。
【００３９】
このとき、残った３つのガス化炉２０のそれぞれは、発電設備１００が必要とする発電用ガスの必要圧力又は消費量の半分である割り当て発電用ガス圧力又は流量以上を発電用ガス精製設備６０で精製することができる量の粗石炭ガスを生成する粗石炭ガス生成能力を有している。このため、残った３つのガス化炉２０は、発電用ガス精製設備６０に、発電設備１００が必要とする発電用ガスの必要圧力又は消費量を精製するに必要な粗炭素ガスを生成し続けることができる。
また、化学合成原料精製・合成・分離設備７０から化学利用プロセス設備１１０に供給される化学合成原料の供給圧力又は供給量の変動があっても、化学利用プロセス設備１１０は、その変動を殆ど吸収することができる。また、化学合成原料精製・合成・分離設備７０から化学利用プロセス設備１１０に化学合成原料が供給されない期間があっても、化学利用プロセス設備１１０に供給された化学合成原料は、その影響を殆ど受けない。
【００４０】
しかし、３つのガス化炉２０から生成される粗炭素ガスの量が、４つのガス化炉２０から生成される粗炭素ガスの量よりも減少するので、発電設備１００が必要とする発電用ガスの必要圧力又は消費量を精製するに必要な供給圧力又は供給量の粗炭素ガスが発電用ガス精製設備６０に供給されない恐れがある。そこで、圧力又は流量調整装置１２０は、祖炭素ガスの圧力又は流量が高く又は少なくなるように、化学合成原料圧力又は流量調整弁９０の開度を少し小さくする開閉量調整信号Ｓ２２を出力する（ステップＳＴ２３）。
【００４１】
図４を参照して、４つあるガス化炉２０のうち、あるガス化炉２０の運転を開始する場合の石炭ガス化複合システム１０の制御方法を説明する。
【００４２】
例えば、図１において、４つあるガス化炉２０のうち最も図面上、上に位置するガス化炉２０の運転を開始する際に、そのガス化炉２０に対応するガス化炉開閉弁４０が開けられる（ステップＳＴ３１）。すると、圧力又は流量調整装置１２０は、そのガス化炉開閉弁４０が開けられた状態を表す開閉状態信号Ｓ１１を受信する。
【００４３】
このとき、４つのガス化炉２０から生成される粗炭素ガスの圧力又は流量が、３つのガス化炉２０から生成される粗炭素ガスの圧力又は流量よりも増加するので、発電設備１００が必要とする発電用ガスの必要圧力又は消費量を精製するに必要な供給圧力又は供給量の粗炭素ガスが、過剰に、発電用ガス精製設備６０に供給される恐れがある。
そこで、圧力又は流量調整装置１２０は、祖炭素ガスの圧力又は流量が低く又は少なくなるように、化学合成原料圧力又は流量調整弁９０の開度を少し大きくする開閉量調整信号Ｓ２２を出力する（ステップＳＴ３３）。
【００４４】
以上の説明から明らかなように、石炭ガス化複合システム１０は、４つのガス化炉のうち、ｎ−ｘ（ここで、ｎは石炭ガス化複合システム１０が有するガス化炉２０の数（本実施形態では４）、ｘは、１≦ｘ≦ｎ−１の関係を満たす整数）を発電設備用のガス化炉として用い、発電用ガス圧力又は流量調整弁８０は、常に、発電用ガス精製設備６０からの発電用ガスの供給圧力又は供給量が発電設備１００の発電用ガスの必要圧力又は消費量以上になるように、調整されるので、発電設備１００の運転を維持した状態で、４つのガス化炉２０のうち、特定のガス化炉２０の運転を一時的に停止することができる。
【符号の説明】
【００４５】
１０  石炭ガス化複合システム
２０  ガス化炉
３０  ガス化炉配管
４０  ガス化炉開閉弁
５０  ガス化炉全体配管
５２  中央配管
５４  上流側配管
５６  下流側配管
６０  発電用ガス精製設備
７０  化学合成原料精製・合成・分離設備
８０  発電用ガス圧力又は流量調整弁
８５  圧力又は流量センサー
９０  化学合成原料圧力又は流量調整弁
１００  発電設備
１１０  化学利用プロセス設備
１２０  圧力又は流量調整装置
【図１】
0006408296.tif 000002
【図２】
0006408296.tif 000003
【図３】
0006408296.tif 000004
【図４】
0006408296.tif 000005